(57)【特許請求の範囲】
【請求項１】
吊り部材で吊られる上枠体と、この上枠体から垂下された側網体と、この側網体で上記上枠体に連結された下枠体と、この下枠体の内側に張られた底網体とを備え、前記上枠体の上方が開放されているとともに，前記吊り部材の下端に着脱可能に連結される第２吊り部材と、この第２吊り部材で前記下枠体より下方に吊られる第２上枠体と、この第２上枠体から垂下された第２側網体と、この第２側網体で上記第２上枠体に連結された第２下枠体と、この第２下枠体の内側に張られた第２底網体とを備え、前記下枠体と第２上枠体との間が開放されていることを特徴とする物干し具。
【発明の詳細な説明】
【０００１】
【発明の属する技術分野】
本発明は、物干し具に関する。主としてセーターを干すのに適した物干し具に関するものである。
【０００２】
【従来の技術】
従来、主としてセーターを干すのに適した物干し具として、図６（ａ）（ｂ）に示すようなものがそれぞれ知られている。
図（ａ）に示すものは、チェーン１で吊られる枠体２と、この枠体２の内側に張られた網体３とを備えており、枠体２および網体３の上にセーター（図示せず）を載置してこれを干すことができるようになっている。
図（ｂ）に示すものは、箱状の枠体４に網体５が張られた２段構造で上下の収容室６ａ、６ｂを有する駕籠体をチェーン等の吊り部材７で吊すようになっている。
各収納室６ａ、６ｂの前面６ａ１、６ｂ１は、それぞれスライドファスナ８ａ、８ｂで開閉可能となっており、この前面６ａ１、６ｂ１を開けることにより、各収納室６ａ、６ｂにセーターを出し入れすることができるようになっている。
【０００３】
【発明が解決しようとする課題】
上述した従来の物干し具にはそれぞれ次のような問題があった。
図（ａ）に示したものは、枠体２および網体３の上方が開放されているので、枠体２および網体３の上にセーターを載置し易いが、風等で物干し具が揺れると、セーターが物干し具からずり落ちてしまうことがあった。
一方、図（ｂ）に示したものは、箱状になっており、その収容室６ａ、６ｂにセーターが収容されるから、物干し具が揺れてもセーターがずり落ちるということはないが、スライドファスナ８ａ、８ｂを操作して収納室６ａ、６ｂの前面からセーターを出し入れする必要があるため、その出し入れ作業が面倒であった。特に、前面の狭い空間から手を入れてセーターを収容室内に広げた状態で入れる作業が大変であった。
【０００４】
この発明の目的は、以上のような問題を解決し、セーター等を容易に載置することができるとともに、セーター等がずり落ちにくい物干し具を提供することにある。
【０００５】
【課題を解決するための手段】
上記目的を達成するために請求項１記載の物干し具は、吊り部材で吊られる上枠体と、この上枠体から垂下された側網体と、この側網体で上記上枠体に連結された下枠体と、この下枠体の内側に張られた底網体とを備え、前記上枠体の上方が開放されているとともに，前記吊り部材の下端に着脱可能に連結される第２吊り部材と、この第２吊り部材で前記下枠体より下方に吊られる第２上枠体と、この第２上枠体から垂下された第２側網体と、この第２側網体で上記第２上枠体に連結された第２下枠体と、この第２下枠体の内側に張られた第２底網体とを備え、前記下枠体と第２上枠体との間が開放されていることを特徴とする。
【０００６】
【作用効果】
請求項１記載の物干し具は、吊り部材で吊られる上枠体と、この上枠体から垂下された側網体と、この側網体で上記上枠体に連結された下枠体と、この下枠体の内側に張られた底網体とを備え、前記上枠体の上方が開放されているので、この物干し具によれば、上枠体と側網体と下枠体と底網体とで形成される凹所内に、上枠体上方の開放部から容易にセーター等を載置することができる。
また、セーター等の載置部が、上枠体と側網体と下枠体と底網体とで凹状に形成されるので、この物干し具が風等で揺れたとしてもセーター等がすれ落ちにくくなる。
すなわち、この物干し具によれば、セーター等を容易に載置することができるとともに、セーター等がずり落ちにくいという効果が得られる。
請求項２記載の物干し具によれば、前記吊り部材の下端に着脱可能に連結される第２吊り部材と、この第２吊り部材で前記下枠体より下方に吊られる第２上枠体と、この第２上枠体から垂下された第２側網体と、この第２側網体で上記第２上枠体に連結された第２下枠体と、この第２下枠体の内側に張られた第２底網体とを備え、前記下枠体と第２上枠体との間が開放されているので、上述した凹状の載置部を２段に形成することが可能となり、これら２段の載置部にそれぞれセーター等を載置して干すことが可能となる。
そして、第２吊り部材は、前記吊り部材の下端に連結されるので、下段の載置部を形成することによる、上段の枠体の変形を防止することができる。
また、下枠体と第２上枠体との間が開放されているので、この開放部を利用して下段の載置部に対してもセーター等を容易に載置することができる。
【０００７】
【発明の実施の形態】
以下、本発明の実施の形態について図面を参照して説明する。
図１は本発明に係る物干し具の一実施の形態を示す概略斜視図である。
この物干し具は、４本の吊り部材１１で吊られる上枠体１２と、この上枠体１２から垂下された側網体１３と、この側網体１３で上記上枠体１２に連結された下枠体１４と、この下枠体１４の内側に張られた底網体１５とを備え、上枠体１２の上方が開放されている。
また、吊り部材１１の下端１１ａに着脱可能に連結される４本の第２吊り部材２１と、この第２吊り部材２１で前記下枠体１４より下方に吊られる第２上枠体２２と、この第２上枠体２２から垂下された第２側網体２３と、この第２側網体２３で第２上枠体２２に連結された第２下枠体２４と、この第２下枠体２４の内側に張られた第２底網体２５とを備え、前記下枠体１４と第２上枠体２２との間が開放されている。
すなわち、この物干し具は、吊り部材１１、上枠体１２、側網体１３、下枠体１４、および底網体１５で構成される上段部１０と、第２吊り部材２１、第２上枠体２２、第２側網体２３、第２下枠体２４、および第２底網体２５で構成される下段部２０とを有している。
【０００８】
上段部１０には、上枠体１２と側網体１３と下枠体１４と底網体１５とで凹状の載置部Ａ１が形成され、下段部２０には、第２上枠体２２と第２側網体２３と第２下枠体２４と第２底網体２５とで同じく凹状の載置部Ａ２が形成される。
【０００９】
なお、吊り部材１１，第２吊り部材２１は、いずれも平ベルトで構成されている。図１において、１６はこの物干し具を吊すためのＳ字フック、２６は吊り部材１１の下端１１ａに第２吊り部材２１を着脱可能に連結するための連結具である。
【００１０】
図２は上段部１０の分解斜視図である。
同図に示すように、上段部１０は、吊り部材１１の下縁１１ｂを上枠体１２に連結し、上枠体１２と下枠体１４とを輪状（筒状）の側網体１３を介して連結することで構成される。
具体的には、図３（ａ）に示すように、上枠体１２は、ワイヤーリング１２ａと、このワイヤーリング１２ａをその外側から覆う第１バイアステープ１２ｂとで構成されており、その上側に吊り部材１１の下端１１ａおよび下縁１１ｂが折られるようにして配置されると共に、第１バイアステープ１２ｂの下側には側網体１３の上縁１３ａが折られるようにして配置され、さらにこれらを覆うように第２バイアステープ１７ａが内側から設けられ、これらが同時に逢着１８ａされることによって、吊り部材１１、上枠体１２、および側網体１３の上縁１３ａが連結されている。
また、図３（ｂ）に示すように、下枠体１４は、ワイヤーリング１４ａと、このワイヤーリング１４ａをその外側から覆う第３バイアステープ１４ｂとで構成されており、その上側に側網体１３の下縁１３ｂが折られるようにして配置されると共に、第３バイアステープ１４ｂの下側には底網体１５の周縁部１５ａが折られるようにして配置され、さらにこれらを覆うように第４バイアステープ１７ｂが内側から設けられ、これらが同時に逢着１８ｂされることによって、側網体１３の下縁１３ｂ、下枠体１４、および底網体１５が連結されている。
なお、図２に示すように、吊り部材１１の上部には、輪部１１ｃが縫製によって形成されており、この輪部１１ｃに上記Ｓ字フック１６が連結される。
【００１１】
図４は下段部２０の分解斜視図である。
同図に示すように、下段部２０は、吊り部材２１の下部２１ａを第２上枠体２２に連結し、第２上枠体２２と第２下枠体２４とを輪状（筒状）の第２側網体２３を介して連結することで構成される。具体的な第２上枠体２２、第２下枠体２４の構造、およびこれらと第２吊り部材２１，第２側網体２３，第２底網体２５の連結構造（逢着構造）は、上記上段部１０の連結構造と同様であり、図３（ａ）（ｂ）において、対応する部材の符号を括弧書きで示してある。
第２吊り部材２１の上部には輪部２１ｃが縫製により構成され、この輪部２１ｃに上記連結具２６が連結される。
【００１２】
図５は連結具２６を示す図で、（ａ）は正面図、（ｂ）は側面図、（ｃ）は図（ａ）におけるｃ−ｃ端面図である。
連結具２６は、閉ループ状の下部１６ａと、これと一体の開ループ状の上部１６ｂとを有しており、下部１６ａの長穴１６ａ１に第２吊り部材２１の上端２１ｂ（図４参照）を通してこれを図４に示すように逢着２１ｄすることによって、第２吊り部材２１の輪部２１ｃに連結される。
また、上部１６ｂの長穴１６ｂ１に対し、その一端の開口部１６ｃから吊り部材１１を矢印で示すように通して入れ込むことによって、吊り部材１１の下部１１ａ（図１参照）に対して着脱可能に連結することが可能である。
【００１３】
以上のような物干し具によれば、次のような作用効果が得られる。
（ａ）吊り部材１１で吊られる上枠体１２と、この上枠体１２から垂下された側網体１３と、この側網体１３で上枠体１２に連結された下枠体１４と、この下枠体１４の内側に張られた底網体１５とを備え、上枠体１２の上方が開放されているので、上枠体１２と側網体１３と下枠体１４と底網体１５とで形成される凹所（載置部Ａ１）内に、上枠体１２上方の開放部から容易にセーター等（図示せず）を載置することができる。
また、セーター等の載置部Ａ１が、上枠体１２と側網体１３と下枠体１４と底網体１５とで凹状に形成されるので、この物干し具が風等で揺れたとしてもセーター等がすれ落ちにくくなる。
すなわち、この物干し具によれば、セーター等を容易に載置することができるとともに、セーター等がずり落ちにくいという効果が得られる。
（ｂ）吊り部材１１の下端１１ａに着脱可能に連結される第２吊り部材２１と、この第２吊り部材２１で下枠体１４より下方に吊られる第２上枠体２２と、この第２上枠体２２から垂下された第２側網体２３と、この第２側網体２３で第２上枠体２２に連結された第２下枠体２４と、この第２下枠体２４の内側に張られた第２底網体２５とを備え、下枠体１４と第２上枠体１４との間Ｂ（図１参照）が開放されているので、凹状の載置部を２段（Ａ１，Ａ２）に形成することが可能となり、これら２段の載置部Ａ１，Ａ２にそれぞれセーター等を載置して干すことが可能となる。
そして、第２吊り部材２１は、吊り部材１１の下端１１ａに連結されるので、下段２０の載置部Ａ２を形成することによる、上段１０の枠体（上枠体１２ないし下枠体１４）の変形を防止することができる。
例えば、仮に、第２吊り部材２１を上枠体１２に連結したとすると、上枠体１２には、吊り部材１１からの力と第２吊り部材２１からの力とが作用することとなるので、上枠体１２は、これらの力によって変形することとなり、また、第２吊り部材２１を下枠体１４に連結したとすると、下枠体１４には、吊り部材１１からの側網体１３を介した力と第２吊り部材２１からの力とが作用することとなるので、やはり下枠体１４は、これらの力によって変形することとなる。
これに対し、この実施の形態によれば、第２吊り部材２１は、吊り部材１１の下端１１ａに連結されるので、下段２０の載置部Ａ２を形成することによる、上段１０の枠体（上枠体１２ないし下枠体１４）の変形が防止される。
また、下枠体１４と第２上枠体２２との間が開放されているので、この開放部Ｂ（図１参照）を利用して下段２０の載置部Ａ２に対してもセーター等を容易に載置することができる。
【００１４】
以上、本発明の実施の形態について説明したが、本発明は上記の実施の形態に限定されるものではなく、本発明の要旨の範囲内において適宜変形実施可能である。
【００１５】
【図面の簡単な説明】
【図１】本発明に係る物干し具の一実施の形態を示す概略斜視図。
【図２】図２は上段部１０の分解斜視図。
【図３】（ａ）（ｂ）は上段部１０の逢着構造を示す部分拡大断面図。
【図４】下段部２０の分解斜視図。
【図５】連結具２６を示す図で、（ａ）は正面図、（ｂ）は側面図、（ｃ）は図（ａ）におけるｃ−ｃ端面図。
【図６】（ａ）（ｂ）はそれぞれ従来技術の説明図。
【符号の説明】
１０    上段部
１１    吊り部材
１２    上枠体
１３    側網体
１４    下枠体
１５    底網体
２１    第２吊り部材
２２    第２上枠体
２３    第２側網体
２４    第２下枠体
２５    第２底網体
【図１】
0004004262.tif 000002
【図２】
0004004262.tif 000003
【図３】
0004004262.tif 000004
【図４】
0004004262.tif 000005
【図５】
0004004262.tif 000006
【図６】
0004004262.tif 000007